(57)【要約】【課題】光学用フィルタの角部や全体からのカケなどによるフィルタ主面部のキズ破損などの主面へ影響を軽減し、製造工程でも客先への出荷にも共用できる光学用フィルタを収納する搬送トレーの改善を目的とする。【解決手段】課題を解決するために本発明は、光学用フィルタの搬送トレーにおいて、該光学用フィルタを固定し支持する該搬送トレーの光学用フィルタの主面部の角縁部に当接する支持部が形成され、該トレーの該フィルタ個々の収納部では、該フィルタの主面部が直接収納部底に接触しない構造を有する搬送トレーを用いることで課題を解決する。【選択図】  図１
2005022670.tif 000002
【特許請求の範囲】
【請求項１】
光学用フィルタの搬送トレーにおいて、
該光学用フィルタを固定し支持する該搬送トレーの光学用フィルタの主面部に当接する支持部が形成され、該トレーの該フィルタ個々の収納部では、該フィルタの主面部が直接収納部底に接触しないように、該トレーの収納部の光学フィルタの主面と接する角縁部に支持部を配置し、該光学フィルタの側面部と主面部との角縁部で支持することを特徴とする搬送トレー。
【請求項２】
請求項１記載の支持部は、該トレーの収納部の光学フィルタの主面と接する少なくとも３箇所に配置し、該光学フィルタの側面部と主面部とが線接触あるいは点接触で支持することを特徴とする搬送トレー。
【発明の詳細な説明】
【０００１】
【産業上の利用分野】
光学用フィルタを工程内で移動するときや客先への出荷時に、光学用フィルタを破損せず、光学用フィルタの主面へのキズやカケ、破損を防いで安全に確実に輸送することができる搬送トレーの構造に関する。
【０００２】
【従来の技術】
圧電結晶材料から製造される光学用フィルタは、主に映像機器の映像取り入れ部にあたる、レンズからの映像として入力された光源を光の三原色に分離するために用いられるプリズムのような透明薄板である。映像機器の映像入力である光源を分離する役目として重要な機能を持っているため、製造工程における光学用フィルタの加工精度は大変厳しく、構造的にも複数枚の薄板を張り合わせてひとつの光学用フィルタを構成するといった製造方法においても、複雑な製造工程と精密な表面処理が行われている。
【０００３】
従って、製造工程における光学用フィルタの取り扱いは大変慎重に行われ、かつ複数工程を通過した上で光学用フィルタとしてのひとつの製品が作られる。製造工程の中には、光学用フィルタとしての機能を最大限に発揮させるために、光学用フィルタの光を通過させる主面に偏光効果をもった表面処理加工を行うなど、化学薬品や金属などによる表面コーティングも行う必要がある。
【０００４】
これらの製造工程を通過して製造が行われることから、工程間を移動するときの光学用フィルタの搬送トレーの支持収納方法は、図５に示すような主面部がトレーの収納部に接触する格好で支持する形態（図５（ａ））や光学用フィルタを覆ってしまう形状（図５（ｂ））が取られていた。トレーに収納するフィルタがキズやカケ、破損に対して非常に慎重な扱いを必要とすることで、トレー自体は材質的にも柔く非常に簡易的な構造となっている。
【０００５】
また、今までは製品出荷時にも同一の搬送トレーを使用することから、光学用フィルタを安全に、かつ確実に輸送するためには不安要素を持っている。安全性を重視する場合には客先への出荷用の搬送トレーを準備するなど、搬送トレー管理も行っている。
【０００６】
【特許文献１】
特開平１１−１３０１７５号公報
【０００７】
【発明が解決しようとする課題】
前述するように、光学用フィルタは製造工程に用いる搬送トレーと、客先への出荷に用いる搬送トレーと、搬送トレー管理が必要となっている。そして、光学用フィルタ主面に化学コーティングなどを施してあり、主面のダメージに対して非常に繊細な構造を持っていることから、搬送トレーによる光学用フィルタ支持部形状も、搬送トレーの凹部に光学用フィルタを落とし込むような形状や、主面部がトレーの収納部に接触する格好で支持するために、製造工程途中には凹部形状にほこりなどが溜まり易く、また一方では、収納部にフィルタが接触するために、光学用フィルタの搬送トレー中に、光学用フィルタの角部の破損から出た破損カスにより、光学用フィルタ主面にキズを付ける原因を持つなどの課題がある。
【０００８】
【課題を解決するための手段】
光学用フィルタを搬送トレーに収納する作業性を損なうことなく、かつ作業工程の工程間移動のための搬送トレーとしての使用と、客先への出荷時に使用する梱包用搬送トレーとの兼用に使用できるように、搬送トレーを射出成形樹脂により成形した丈夫な形状と材質に変更することで強度を持たせた上で、本願発明の特徴により効果を上げるものである。そこで本発明は、光学用フィルタの搬送トレーにおいて、該光学用フィルタを固定し支持する該搬送トレーの光学用フィルタの主面部の角縁部あるいは光学用フィルタの角辺の中間に線接触（点接触）で当接する支持部が形成され、該トレーの該フィルタ個々の収納部では、該フィルタの主面部が直接収納部底に接触しない構造を有することを特徴とする搬送トレーである。
【０００９】
要するに、工場間と客先との製品搬送を兼用できる搬送トレーであり、最大の特徴は光学用フィルタの主面部が、上述のように光学用フィルタとしての機能を最大限に発揮させるために、光学用フィルタの光を通過させる主面に偏光効果をもった表面処理加工を施すことから、主面部が直接トレーの収納部に接触することを避けて、光学用フィルタを収納する支持構造を持った搬送トレーである。
【００１０】
その結果、光学用フィルタの主面部に対しては、搬送トレーとは全く接触することが無くなるため、主面部に対する支持と収納時のキズやカケ、破損などの主面への接触と言った影響を無くすことができることで、搬送トレーに光学用フィルタを収納する作業性を向上させ、安全に確実に輸送することで課題を解決するものである。
【００１１】
【発明の実施の形態】
以下、添付図面に従ってこの発明の実施例を説明する。なお、各図において同一の符号は同様の対象を示すものとする。
図１に本発明の搬送トレー２の平面図を示す。従来では樹脂材料を真空成形で搬送トレー２を成形していたため、例えば薄フィルム状で光学用フィルタ１の収納面（当接面）は堅く搬送時など特に光学用フィルタ１の角部の破損などの主面への影響を招くような搬送トレー２形態であったが、樹脂を射出成形により搬送トレー２を成形することで、厚みのある丈夫な構造ながら、光学用フィルタ１の当接面は従来の搬送トレー２よりも柔らかな搬送トレー２の形態にすることができる。
【００１２】
光学用フィルタ１は、搬送トレー２に横に寝かせた光が通過する主面を搬送トレー２収納箇所に置く格好で収納し、光学用フィルタ１の位置の固定と支持は支持部３により行う。従来では、図５に示すような搬送トレー２に光学用フィルタ１を落とし込むような形態あるいは、本発明と同様に主面で支持する形態であったことから、光学用フィルタ１の角部からの破損や破損カスによるキズの発生などで主面への影響を招いていたが、本発明では光学用フィルタ１の側面部と主面部との角縁部で支持と支持することにより、光学用フィルタ１の角縁部４における破損の発生と破損カスが仮にあったとしても、フィルタ１の主面部にこれらの影響を反映しない構造の支持形態により不良の発生を大幅に低減することができる。
【００１３】
図２は光学用フィルタ１を収納する箇所の斜視図である。支持部３は光学用フィルタ１の４辺の側面部５と主面部６との角縁部４にあたる「線（点）」で支持する格好となっており、搬送トレー２の光学用フィルタ１の主面に当接する箇所は無い。要するに本発明の支持部により光学用フィルタ１の主面が搬送トレー２から浮くことで、課題に挙げる破損カスやほこりなどの主面への接触を軽減する。
【００１４】
そして、図２を更に拡大した図を図３に描画する。ここでは支持部３の一箇所を中心に表現しているが、光学用フィルタ１の四隅に支持部３が当接する形状になっている（図３（ａ））。また、図３（ｂ）では図３（ａ）のＡ−Ａ断面図を示したものである。図からも分かるように、支持部３の傾斜部分で光学フィルタ１の側面部５と主面部６との角縁部４にあたる「線」で支持することで、光学用フィルタ１の主面部に対する外的要因を解消する支持構造を実現する。
【００１５】
なお、本発明による搬送トレー２は、作業工程での使用は勿論のこと、客先への光学用フィルタ１の出荷時の梱包用搬送トレー２としても共用することができる。製造工程の移動用搬送トレー２としても、梱包用の搬送トレー２としても使用できる丈夫な構造を持っているので、一度客先へ納品するための出荷梱包用搬送トレー２として使用し、再度回収して改めて製造工程で使用したり、梱包用の搬送トレー２として使用することができる。ここで、特に図示はしないが、実際の搬送については、図１に示すような収納トレーで光学フィルタ１を挟むようにして利用するものである。
【００１６】
一方図４に示すのは、本発明の他の実施例であり、搬送トレー２の収納部の光学フィルタ１との支持部３が光学フィルタ１の角縁部を除く中間部分に「でっぱり」を設けることで、本発明と同様の効果を奏する収納が可能となる。図３と同様に収納部には少なくとも３箇所のでっぱりを作りこれを支持部３として光学用フィルタ１を浮かした格好で支持するものである。図４（ａ）は光学用フィルタ１が角状の場合の収納状態を示している。この場合には支持部３は４箇所に配置されている。一方、図４（ｂ）では光学用フィルタ１を丸状の物である場合では支持部３は３箇所で足りる。なお、本実施例に示す支持部３の形状や大きさは一例であり特に制約を受けるものでは無い。
【００１７】
【発明の効果】
本発明により、製造工程間で使用する搬送トレーと梱包用に使用する搬送トレーの共用を実現し、更には従来の搬送トレーの厚み（高さ）方向を抑制しながら、収納部におけるフィルタの主面部へのキズやカケ、破損などで主面に対する影響を大幅に低減することで製品品質の向上を実現する。
【図面の簡単な説明】
【図１】本発明の搬送トレーの概要を説明する平面図である。
【図２】本発明の搬送トレーで光学用フィルタを収納する部分の斜視図である。
【図３】本発明の搬送トレーの詳細を説明する斜視図と部分断面図である。
【図４】本発明の他の実施形態を示す斜視図である。
【図５】従来の搬送トレーによる収納形態を示した斜視図と部分断面図である。
【符号の説明】
１    光学用フィルタ
２    搬送トレー
３    支持部
４    角縁部
【図１】
2005022670.tif 000003
【図２】
2005022670.tif 000004
【図３】
2005022670.tif 000005
【図４】
2005022670.tif 000006
【図５】
2005022670.tif 000007